(57)【要約】【課題】戸体を所望の開き角度で保持することができる開き角度保持装置および建具を提供すること。【解決手段】開き角度保持装置１０は、スパイラルロッド１６と、スパイラルロッド１６に係合されたスライダー１７と、一端側でスライダー１７に取り付けられていると共に他端側で窓枠に取付可能なリンクアーム１９と、スパイラルロッド１６に固定された回転体１４と、回転体１４に係合する係合体４１とを備えている。係合体４１は、回転体１４と係合する係合位置と、回転体１４と係合しない非係合位置とに移動可能に構成されている。【選択図】図３
2019078161.tif 000002
【特許請求の範囲】
【請求項１】
枠体に対して戸体の開き角度を保持する開き角度保持装置であって、
前記枠体および前記戸体のうちの一方に取付可能なスパイラルロッドと、
前記スパイラルロッドに対してその軸方向に沿って移動可能に係合されたスライダーと、
一端側で前記スライダーに取り付けられていると共に他端側で前記枠体および前記戸体のうちの他方に取付可能なリンクアームと、
前記スパイラルロッドに固定された回転体と、
前記回転体に係合する係合体と、を備えており、
前記スライダーの移動に伴って前記スパイラルロッドが回転可能に構成されており、
前記係合体は、前記回転体と係合する係合位置と、前記回転体と係合しない非係合位置とに移動可能に構成されている
ことを特徴とする開き角度保持装置。
【請求項２】
請求項１に記載の開き角度保持装置において、
前記回転体および前記係合体は、前記スパイラルロッドの軸線上に配置されており、
前記回転体および前記係合体には、互いに係合可能に前記スパイラルロッドの軸方向に突出した係合部がそれぞれ形成されている
ことを特徴とする開き角度保持装置。
【請求項３】
請求項２に記載の開き角度保持装置において、
前記スパイラルロッドには、前記軸方向に沿った平板部が形成されており、
前記スライダーが前記平板部に配置された状態における前記スパイラルロッドの回転位置では、前記回転体の係合部は前記係合体の係合部に向かい合って位置する
ことを特徴とする開き角度保持装置。
【請求項４】
請求項２または請求項３に記載の開き角度保持装置において、
前記係合体を、前記軸方向において前記回転体側に付勢する弾性部材を更に備えている
ことを特徴とする開き角度保持装置。
【請求項５】
請求項２から請求項４のいずれか一項に記載の開き角度保持装置において、
前記回転体および前記係合体のうちの少なくとも一方の係合部は山形形状に形成されている
ことを特徴とする開き角度保持装置。
【請求項６】
請求項４または請求項５に記載の開き角度保持装置において、
前記係合部の先端面に連続する両側面は、前記軸方向に対して前記先端面側で互いに接近する向きに傾斜した斜面によって形成されている
ことを特徴とする開き角度保持装置。
【請求項７】
請求項６に記載の開き角度保持装置において、
前記スパイラルロッドに対して上方には前記軸方向に沿って前記スライダーを移動可能に支持するスライドベースが配置されており、
前記スライドベースはその両端部で前記枠体および前記戸体のうちの一方に取り付けられている
ことを特徴とする開き角度保持装置。
【請求項８】
請求項１から請求項７のいずれか一項に記載の開き角度保持装置において、
前記スパイラルロッドの一端には前記回転体が固定されており、
前記スパイラルロッドの他端には他の回転体が固定されており、
前記他の回転体は、前記枠体および前記戸体のうちの一方に対して前記軸方向に位置調整可能に取り付けられた軸受に支持されている
ことを特徴とする開き角度保持装置。
【請求項９】
枠体に対して開閉可能な戸体と、前記枠体および前記戸体に装着された請求項１から請求項８のいずれか一項に記載の開き角度保持装置と、前記係合体を移動操作する操作装置とを備えている
ことを特徴とする建具。
【発明の詳細な説明】
【技術分野】
【０００１】
本発明は、枠体に対して開閉可能な戸体の開き角度を保持する開き角度保持装置および建具に関する。
【背景技術】
【０００２】
従来、開き角度保持装置として、外開き窓の障子（戸体）における窓框に沿って固定されたレールと、レールに摺動自在に嵌合したスライダーと、スライダーおよび窓開口側を連結したアームロッドとを備えており、レールに沿った所定位置には掛止凹部が設けられており、スライダーには、前記掛止凹部に嵌合する嵌合子が操作可能に設けられている窓の角度調整器が知られている（特許文献１参照）。
この窓の角度調整器では、スライダーに設けられた嵌合子がレールに沿った掛止凹部に嵌合することで、窓の開き角度を保持する構成とされている。
【先行技術文献】
【特許文献】
【０００３】
【特許文献１】実開平２−５３４７３号公報
【発明の概要】
【発明が解決しようとする課題】
【０００４】
ところで、特許文献１に記載の窓の角度調整器では、スライダーに設けられた嵌合子はレールに沿った掛止凹部がある所定位置にないと掛止凹部と嵌合しないので、保持できる窓の開き角度は、レールに沿って掛止凹部がある所定位置に対応した開き角度に限られることとなる。
【０００５】
本発明の目的は、戸体を所望の開き角度で保持することができる開き角度保持装置および建具を提供することにある。
【課題を解決するための手段】
【０００６】
本発明の開き角度保持装置は、枠体に対して戸体の開き角度を保持する開き角度保持装置であって、前記枠体および前記戸体のうちの一方に取付可能なスパイラルロッドと、前記スパイラルロッドに対してその軸方向に沿って移動可能に係合されたスライダーと、一端側で前記スライダーに取り付けられていると共に他端側で前記枠体および前記戸体のうちの他方に取付可能なリンクアームと、前記スパイラルロッドに固定された回転体と、前記回転体に係合する係合体と、を備えており、前記スライダーの移動に伴って前記スパイラルロッドが回転可能に構成されており、前記係合体は、前記回転体と係合する係合位置と、前記回転体と係合しない非係合位置とに移動可能に構成されていることを特徴とする。
【０００７】
本発明の建具は、枠体に対して開閉可能な戸体と、前記枠体および前記戸体に装着された前述した本発明の開き角度保持装置と、前記係合体を移動操作する操作装置とを備えていることを特徴とする。
【発明の効果】
【０００８】
本発明によれば、戸体を所望の開き角度で保持することができる開き角度保持装置および建具を提供することができる。
【図面の簡単な説明】
【０００９】
【図１】本発明の実施形態に係る外開き窓を示す斜視図。
【図２】前記実施形態に係る外開き窓の開き角度保持装置を示す斜視図。
【図３】前記実施形態に係る外開き窓の開き角度保持装置を展開して示す斜視図。
【図４】前記実施形態に係る外開き窓の開き角度保持装置の要部の動作を示す説明図。
【図５】本実施形態に係る外開き窓の動作を示す平面図。
【図６】前記実施形態に係る外開き窓の開き角度保持装置のスパイラルロッドの動作を示す説明図。
【図７】本発明の第１変形例に係る回転停止ユニットを示す斜視図。
【図８】本発明の第２変形例に係る回転停止ユニットを示す平面図。
【図９】本発明の第３変形例に係る外開き窓を示す斜視図。
【図１０】第３変形例に係る外開き窓の開き角度保持装置を下側から示す説明図。
【図１１】第３変形例に係る外開き窓の開き角度保持装置の要部を展開して示す斜視図。
【図１２】第３変形例に係る外開き窓の開き角度装置の要部の動作を示す説明図。
【発明を実施するための形態】
【００１０】
［本実施形態の構成］
以下、本発明の実施形態を図面に基づいて説明する。
図１において、本実施形態に係る建具である外開き窓１は、建物躯体の開口に設置される窓枠２（枠体）と、窓枠２に対して室外側に開閉可能な障子３（戸体）と、窓枠２および障子３に装着された開き角度保持装置１０と、窓枠２および障子３を掛け止めするラッチ装置５０と、開き角度保持装置１０およびラッチ装置５０を連動して操作する操作装置６０と、錠装置であるサムターン７０とを備えている。
窓枠２は、上枠２１、下枠２２および左右の縦枠２３を枠組みして構成されており、障子３は、上框３１、下框３２、左右の縦框３３およびガラスパネル等からなる面材３４を框組みして構成されている。吊元側の縦枠２３および縦框３３は、ヒンジを介して互いに連結されている。
以下の説明では、障子３の左右方向をＸ軸方向とし、障子３の上下方向をＹ軸方向とし、障子３の見込み方向をＺ軸方向とする。これらＸ，Ｙ，Ｚ軸方向は互いに直交している。
【００１１】
開き角度保持装置１０は、図２，３に示すように、スライドベース１１と、スライドベース１１に取り付けられた軸受１２および後述するケース本体４５１に回転可能に支持された回転体１４，１５と、両端が回転体１４，１５に取り付けられたスパイラルロッド１６と、スパイラルロッド１６に螺合したスライダー１７と、一端がスライダー１７に軸ピン１８を介して回動可能に連結されたリンクアーム１９と、回転体１４に対して係合する係合位置から非係合位置まで移動可能な係合体４１を備えた回転停止ユニット４０とを備えている。
スライドベース１１は上框３１にネジ止めされている。リンクアーム１９の他端は上枠２１に軸ピン１８および取付板１８２を介して回動可能にネジ止めされている。
スパイラルロッド１６は、上框３１に沿って配置されている。スパイラルロッド１６のねじりピッチは等ピッチである。スパイラルロッド１６は、その軸線１６１を中心として捩られた形状であると共に、一方の端部（戸先側の端部）に捩り形状とされていない軸方向Ａに沿った平板部１６２（図６参照）を有している。
スライダー１７は、スパイラルロッド１６の軸方向Ａに移動可能であって回転不能となるようにスライドベース１１に嵌合している。スライダー１７には、スパイラルロッド１６が挿通するスリット（図示省略）が設けられており、スライダー１７が軸方向Ａに移動すると、スパイラルロッド１６はスリットに位置した部分がスライダー１７によって回転方向Ｒに押されながら回転駆動される。また、スライダー１７のスリットがスパイラルロッド１６の平板部１６２に配置された状態では、スライダー１７が軸方向Ａに移動しても、平板部１６２がスライダー１７によって回転方向Ｒに押されることはないので、スパイラルロッド１６に回転は生じない。このため、後述する係合歯１４１が形成された回転体１４の回転方向Ｒにおける回転位置は変わらずに維持される。
リンクアーム１９の両端にある各軸ピン１８は、本実施形態では、かしめられて構成されており、それぞれの軸部に樹脂ワッシャー１８１が挿通されている。この樹脂ワッシャー１８１はリンクアーム１９に圧接しているので、リンクアーム１９のスライダー１７および上枠２１に対する回動時には摩擦抵抗力が発生し、この摩擦抵抗力によって障子３の開閉移動に対する開閉抵抗力（シブミ）を与えている。
回転停止ユニット４０は、前述した係合体４１と、軸方向Ａにおいて係合体４１を回転体１４側に付勢する弾性部材としてのバネ部材４２と、バネ部材４２を受けるバネ受体４３と、係合体４１およびバネ受体４３を接近および離間可能に連結した連結軸４４と、係合体４１、バネ部材４２、バネ受体４３および連結軸４４を収容したユニットケース４５とを備えている。
ユニットケース４５は、ケース本体４５１と、ケースカバー４５２とによって構成されている。ケース本体４５１は、スライドベース１１に固定されており、係合体４１およびバネ受体４３を軸方向Ａにガイドする構成とされている。ケースカバー４５２は、ケース本体４５１にネジ止めされて当該ケース本体４５１の上面側を覆っている。係合体４１は、回転体１４と係合する係合位置（図４（Ｃ）に示す位置）と、回転体１４と係合しない非係合位置（図４（Ａ）に示す位置）とに軸方向Ａに移動可能に配置されている。バネ受体４３は、係合体４１よりも回転体１４から軸方向Ａに離間した位置に配置されており、係合体４１およびバネ受体４３間にバネ部材４２が配置されている。バネ部材４２は、軸方向Ａにおいて係合体４１を回転体１４側とは反対側から弾性的に支えている。
以上の開き角度保持装置１０では、回転体１４および係合体４１はスパイラルロッド１６の軸線１６１上にそれぞれ配置されており、回転体１４および係合体４１には、図４（Ａ）〜図４（Ｃ）に示すように、互いに係合（噛合）可能に軸方向Ａに突出した係合部としての係合歯１４１，４１１がそれぞれ形成されている。係合歯１４１，４１１は、回転体１４および係合体４１の円周方向に沿って複数設けられており、それぞれの突出した先端面１４２，４１２は、本実施形態では軸方向Ａに直交する面に沿った平坦面とされている。係合体４１の係合歯４１１の回転位置は、図４（Ａ）および図４（Ｂ）に示すように、スライダー１７が平板部１６２に配置された状態における回転体１４の係合歯１４１に対して先端面１４２，４１２同士が向かい合う位置に設定されている。
【００１２】
ラッチ装置５０は、図１に示すように、戸先側の縦框３３に取り付けられたラッチケース５１およびラッチ部材５２と、戸先側の縦枠２３に取り付けられたラッチ受け（図示省略）とを備えている。ラッチ部材５２は、操作装置６０の操作によって、ラッチケース５１に対して突出位置および没入位置に移動可能に構成されている。
ラッチ部材５２の突出状態では、ラッチ受けに係合して障子３が窓枠２に掛け止めされる。また、ラッチ部材５２の没入状態では、ラッチ受けとの係合が解除されて障子３の窓枠２への掛け止めが外される。
操作装置６０は、図１に示すように、戸先側の縦框３３に取り付けられていると共に回転操作によってラッチ部材５２を出没させる操作ハンドル６１と、操作ハンドル６１に連結された縦連動バー６２と、縦連動バー６２に連結されたコーナードライブ６３と、コーナードライブ６３および回転停止ユニット４０のバネ受体４３に連結された横連動バー６４とを備えている。縦連動バー６２、コーナードライブ６３および横連動バー６４によって、操作ハンドル６１を回転停止ユニット４０に連結した連動機構６５が構成されている。
縦連動バー６２は、Ｙ軸方向に移動可能に戸先側の縦框３３に取り付けられており、コーナードライブ６３は、上框３１および戸先側の縦框３３が連続するコーナー部に取り付けられており、横連動バー６４は、Ｘ軸方向に移動可能に上框３１に取り付けられている。この連動機構６５では、操作ハンドル６１が回転操作されると、この回転操作に連動して縦連動バー６２がＹ軸方向に移動し、この移動がコーナードライブ６３を介して横連動バー６４にＸ軸方向の移動として伝達され、回転停止ユニット４０のバネ受体４３を介して係合体４１を軸方向Ａに移動させる。
操作ハンドル６１は、その回転方向における第一位置６１１および第二位置６１２間を回転可能に縦框３３に取り付けられている。操作ハンドル６１が第一位置６１１にある状態では、ラッチ部材５２が没入位置に配置されると共に、回転停止ユニット４０の係合体４１が非係合位置に配置される。また、操作ハンドル６１が第二位置６１２にある状態では、ラッチ部材５２が突出位置に配置されると共に、係合体４１は回転体１４と係合する係合位置に向かって移動可能な状態とされる。なお、縦連動バー６２には、サムターン７０の後述する錠部材が係合する係合口からなる錠受け部７３が形成されている。
サムターン７０は、図１に示すように、戸先側の縦框３３に取り付けられた錠部材（図示省略）と、錠部材を出没操作する操作摘み７２と、前述したように縦連動バー６２に形成された錠受け部７３とを有している。錠受け部７３は、縦連動バー６２に対して、操作ハンドル６１が第二位置６１２にある状態で錠部材と係合可能な位置に配置されている。このサムターン７０では、操作摘み７２の操作によって錠部材を突出させて錠受け部７３に係合することで、縦連動バー６２のＹ軸方向の移動を規制し、操作ハンドル６１が第二位置６１２に配置された状態のままロックする。これにより、開き角度保持装置１０では、係合体４１および回転体１４が係合した開き角度保持状態が維持される。また、操作摘み７２の操作によって錠部材を没入させて錠受け部７３との係合を解除することで、縦連動バー６２をＹ軸方向に移動可能な状態とする。これにより、開き角度保持装置１０では、操作ハンドル６１の第二位置６１２から第一位置６１１への操作により開き角度保持状態を解除可能な状態とされる。
【００１３】
以下、本実施形態に係る外開き窓１の操作について説明する。
先ず、外開き窓１の閉鎖状態から開閉可能状態とする操作について説明する。
外開き窓１の閉鎖状態において、サムターン７０の操作摘み７２を操作して操作ハンドル６１のロックを解除し、次に、操作ハンドル６１を第二位置６１２から第一位置６１１へ操作し、この操作によりラッチ装置５０は障子３の窓枠２への掛け止めを解除する。これとともに、操作ハンドル６１の第二位置６１２から第一位置６１１への回転操作を、連動機構６５を介して回転停止ユニット４０のバネ受体４３に移動操作として伝達する。バネ受体４３は軸方向Ａにおいて係合体４１から離間する方向に移動し、係合体４１は連結軸４４に引っ張られながら図４（Ａ）に示す非係合位置へ移動し、回転体１４から離間する。これにより、障子３は窓枠２に対して開閉可能な状態となる。なお、障子３が窓枠２に対して図５（Ａ）に示す閉鎖位置にある場合には、スライダー１７のスリット部分１７１は、図６（Ａ）に示すようにスパイラルロッド１６の平板部１６２に配置されている。
次に、障子３の開き角度を保持する操作について説明する。
障子３を窓枠２に対して図５（Ｂ）および図５（Ｃ）に示すように室外側に開放移動すると、開き角度保持装置１０のスライダー１７は、スパイラルロッド１６の他方の端部（吊元側の端部）に向かって平板部１６２を軸方向Ａに移動し、スリット部分１７１が図６（Ｂ）に示す位置を経て図６（Ｃ）に示す位置まで移動すると、スパイラルロッド１６の捩り部分（ねじ部分）に掛かる。この状態でスライダー１７が更に軸方向Ａに移動すると、スパイラルロッド１６は回転方向Ｒに回転駆動される。このようにスライダー１７の直線移動力の一部をスパイラルロッド１６の回転力に変換することで、障子３の開放移動に対する抵抗力を与える。また、障子３の開放移動によってリンクアーム１９は上枠２１およびスライダー１７に対して回動し、樹脂ワッシャー１８１との摩擦抵抗力を発生し、障子３の開閉移動に対する抵抗力を与える。これらの抵抗力により、障子３は、適度な抵抗力が加えられながら過度に速くなることなく開放移動する。
障子３が所望の開き角度の開放位置に配置された際、操作ハンドル６１を第一位置６１１から第二位置６１２まで回転操作し、この回転操作を連動機構６５を介して回転停止ユニット４０のバネ受体４３に移動操作として伝達する。バネ受体４３は軸方向Ａにおいて係合体４１に接近する方向に移動し、係合体４１はバネ部材４２に押されながら非係合位置から係合位置へ移動する。これにより、係合体４１の係合歯４１１が回転体１４の係合歯１４１に噛合し、回転体１４およびこれが固定されたスパイラルロッド１６の回転方向Ｒの回転が係合体４１によって停止され、スライダー１７の軸方向Ａの移動も停止される。これにより、障子３の開放移動および閉鎖移動の双方ができない状態となって障子３の窓枠２に対する開き角度が所望の角度に保持される。
ここで、係合歯４１１の先端面４１２が係合歯１４１の先端面１４２に当たる場合があるが、障子３を多少開閉移動して先端面１４２，４１２同士を外すことで係合歯１４１，４１１同士を噛合することができる。また、先端面１４２，４１２が当たりながら係合体４１が回転体１４に接近移動しても、バネ部材４２が弾性的に縮むので係合体４１が回転体１４に強く押し当てられることがない。
また、障子３が図５（Ａ）に示す閉鎖位置および図５（Ｂ）に示す微小開き位置間にある状態では、スライダー１７のスリット部分１７１は図６（Ａ）および図６（Ｂ）に示すようにスパイラルロッド１６の平板部１６２に位置しているので、スライダー１７の軸方向Ａの移動とスパイラルロッド１６の回転とは縁切りされている。このため、操作ハンドル６１が移動操作され、回転停止ユニット４０によって回転体１４およびスパイラルロッド１６の回転が停止されても、スライダー１７は、平板部１６２の長さ分だけ軸方向Ａに移動可能である。従って、障子３が閉鎖位置および微小開き位置間にある場合には、障子３の開き角度が開き角度保持装置１０によって保持状態とされることはない。
最後に、障子３の開き角度保持状態を解除する操作について説明する。
操作ハンドル６１を第二位置６１２から第一位置６１１へ回転操作し、連動機構６５を介してバネ受体４３を回転体１４から離間させて係合体４１を係合位置から非係合位置へ移動し、係合歯１４１，４１１同士の噛合を解除して、回転体１４およびスパイラルロッド１６を回転可能な状態とし且つスライダー１７を軸方向Ａに移動可能な状態とする。これにより、障子３は、開き角度保持状態が解除されて開閉可能な状態となる。
【００１４】
［本実施形態の効果］
（１）前記実施形態では、係合体４１の移動操作によって回転体１４およびスパイラルロッド１６の回転を停止してスライダー１７の移動を停止するので、障子３を所望の開き角度で保持することができる。
（２）回転体１４および係合体４１が軸方向Ａに突出した係合歯１４１，４１１を有してスパイラルロッド１６の軸線１６１上に沿ってそれぞれ配置されるので、例えば係合体４１が回転体１４の周面に係合するようにスパイラルロッド１６の軸線１６１上から外れて配置される場合と比べて、スパイラルロッド１６の軸線１６１に交差する方向（Ｙ軸方向やＺ軸方向）における納まり寸法を小さくすることができる。このため、窓枠２や障子３の見込み寸法や見付け寸法が小さいものであっても開き角度保持装置１０を容易に設置することができる。
（３）スパイラルロッド１６には、軸方向Ａに沿った平板部１６２が形成されており、スライダー１７が平板部１６２に配置された状態におけるスパイラルロッド１６の回転位置では、回転体１４の係合歯１４１は係合体４１の係合歯４１１に向かい合って位置する。このため、スライダー１７が平板部１６２に配置された状態では、スライダー１７が平板部１６２に沿って軸方向Ａに移動してもスパイラルロッド１６に回転は生じず、回転体１４および係合体４１の係合歯１４１，４１１同士が向かい合って位置した状態が維持される。この状態で係合体４１が非係合位置から係合位置に向かって移動操作されても、係合歯１４１，４１１の先端面１４２，４１２同士が当たって係合歯１４１，４１１同士は係合せず、障子３の開き角度が保持されることがない。このように、スパイラルロッド１６に平板部１６２を形成することで、障子３の開き角度を保持しない角度領域を設けることができる。この角度領域は、軸方向Ａにおける平板部１６２の位置や長さ寸法によって調整可能である。本実施形態では、戸体が閉鎖位置から微小開き位置にある状態でスライダー１７が平板部１６２に配置されるので、障子３が閉鎖位置から微小開き位置にある間は障子３の開き角度が保持されることがない。このため、係合体４１が回転体１４に係合した状態のまま、障子３の窓枠２に対する多少のガタなどによって閉鎖してしまうことをなくし得る。
（４）係合体４１を、軸方向Ａにおいて回転体１４側とは反対側から弾性的に支えるバネ部材４２を備えているので、移動操作により係合歯４１１が係合歯１４１に押し当てられても、バネ部材４２が縮むことで係合体４１および回転体１４に大きな負荷がかかることを抑制することができる。
また、係合歯１４１，４１１同士が当たって係合体４１が係合位置まで移動できない状態であっても、バネ部材４２が縮むことで、係合体４１を移動操作する操作ハンドル６１を第二位置６１２から第一位置６１１まで回転操作することができる。このため、障子３の開き角度の如何に関わらず、操作ハンドル６１を第一位置６１１および第二位置６１２に回転操作することができ、ラッチ装置５０による掛け止めおよびその解除をしっかりと操作することができ、開き角度保持装置１０およびラッチ装置５０の双方を連動して操作する操作装置６０を構成することができる。
（５）開き角度保持装置１０が上枠２１および上框３１に設置されているので、例えば、開き角度保持装置１０が下枠２２および下框３２側に設置される場合と比べて、開き角度保持装置１０自体が外開き窓１の通行の妨げとなるおそれを低減することができる。
【００１５】
［変形例］
本発明は、以上の実施形態で説明した構成のものに限定されず、本発明の目的を達成できる範囲での変形例は、本発明に含まれる。
例えば、前記実施形態では、回転体１４および係合体４１は、スパイラルロッド１６の軸線１６１上に配置されているが、軸線１６１から外れた位置に配置されていてもよく、例えば、係合体４１が回転体１４の周面に摩擦接触によって係合する構成とされていてもよい。
前記実施形態では、スパイラルロッド１６に平板部１６２が形成されているが、スパイラルロッド１６の回転停止状態でスライダー１７の移動を許容する必要がない場合には、平板部１６２の構成を省略してもよい。
前記実施形態では、係合体４１はバネ部材４２によって弾性的に支えられているが、この構成を省略してもよい。この場合、バネ受体４３および連結軸４４の構成を省略し、例えば図７に示す第１変形例のように、係合体４１が横連動バー６４に連結され、ユニットケース４５に軸方向Ａにガイド可能に収容される。
前記実施形態では、係合体４１は、係合歯４１１が形成された一体構造物とされているが、これに代えて、基部と、基部に対して回転可能に摩擦接触した係合部とによって構成されたスリッパ―機構付きの係合体を備えていてもよい。この係合体では、障子３に大きな開閉力が加えられて回転体１４の係合歯１４１と前記係合歯部との間に大きな力が加えられた際、係合歯部が基部に対して摩擦抵抗力に抗して回転し、係合歯１４１および係合歯部間の過負荷を逃がすことができる。
前記実施形態では、係合歯１４１，４１１は、平坦な先端面１４２，４１２を有して矩形状の歯として構成されているが、係合歯１４１，４１１のうちの少なくとも一方は、回転方向Ｒにおける左右両縁のうちの少なくとも一片が斜面によって形成された係合歯であってもよく、また、例えば図８に示す第２変形例のように、左右両縁が斜面９１，９２によって形成された山形形状の係合歯９０であってもよい。図８に示す係合歯９０では、斜面９１，９２が合わさる先端が湾曲形状となっており、係合歯９０の全周縁は波形状に形成されている。この係合歯９０を有する場合には、係合体４１の移動操作により、回転体１４および係合体４１の係合歯９０の斜面９１，９２同士が当たると、係合体４１の接近移動に伴って回転体１４が回転するので、係合歯９０を係合位置まで移動することができる。このように係合体４１および回転体１４の係合歯９０同士の回転方向Ｒにおける位置を自動調整することができ、障子３の開き角度を円滑に保持状態にすることができる。
また、障子３に大きな開閉力が加えられた場合には、互いに当接する斜面９１，９２同士が滑り、係合体４１がバネ部材４２の弾性力に抗して回転体１４から離間することで、障子３の開閉移動を許容し、係合体４１および回転体１４に過負荷が加わることを抑制できる。
前記実施形態では、スパイラルロッド１６のねじりピッチは等ピッチであるが、軸方向Ａに沿って異なるねじりピッチであってもよい。この場合には、ねじりピッチを設定することで、スライダー１７の移動量に対するスパイラルロッド１６の回転量を調整することができ、これにより、スパイラルロッド１６の回転によって発生する障子３の開閉移動に対する開閉抵抗力を設定することができる。例えば、ねじりピッチを小さくすることで、スライダー１７の移動量に対するスパイラルロッド１６の回転量が増え、開閉抵抗力を大きくすることができる。また、ねじりピッチを大きくすることで、スライダー１７の移動量に対するスパイラルロッド１６の回転量が減り、開閉抵抗力を小さくすることができる。
前記実施形態では、樹脂ワッシャー１８１が挿通された軸ピン１８がリンクアーム１９にかしめられているが、樹脂ワッシャー１８１のリンクアーム１９に対する圧接によって摩擦抵抗力を発生させる必要がない場合には、当該樹脂ワッシャー１８１の構成を省略してもよい。
前記実施形態では、外開き窓１は、ラッチ装置５０を備えているが、この構成を省略してもよい。この場合、操作ハンドル６１をグレモンハンドルとし、このグレモンハンドルが係合する錠受けを縦枠２３に形成して、グレモン錠を構成してもよい。
前記実施形態では、スライドベース１１が上框３１に取り付けられ且つリンクアーム１９が上枠２１に取り付けられているが、これに限らず、スライドベース１１が上枠２１に取り付けられ且つリンクアーム１９が上框３１に取り付けられてもよい。また、開き角度保持装置１０は、上枠２１および上框３１に取り付けられて外開き窓１の上部に配置されているが、これに限らず、縦枠２３および縦框３３に取り付けられて外開き窓１の側縁部に配置されてもよく、また、下枠２２および下框３２に取り付けられて外開き窓１の下部に配置されてもよい。
【００１６】
前記実施形態では、外開き窓１は前述した開き角度保持装置１０を備えているが、これに代えて、図９〜図１２に示す第３変形例のように開き角度保持装置１０Ｂを備えていてもよい。
開き角度保持装置１０Ｂは、スライダー１７を軸方向Ａに沿って移動可能に支持するスライドベース１１Ｂと、軸受１２Ｂおよびユニットケース４５Ｂに回転可能に支持された回転体１４Ｂ，１５と、両端が回転体１４Ｂ，１５に取り付けられたスパイラルロッド１６と、スパイラルロッド１６に係合したスライダー１７と、スライダー１７に軸ピン１８を介して回動可能に連結されたリンクアーム１９と、回転体１４Ｂに対して係合する係合位置から非係合位置まで移動可能な係合体４１Ｂを備えた回転停止ユニット４０Ｂとを備えている。
軸受１２Ｂおよびユニットケース４５Ｂは上框３１に取り付けられている。スライドベース１１Ｂの両端部は、軸受１２Ｂおよびユニットケース４５Ｂの上面に載せられて上框３１にネジ止めされている。このようにスライドベース１１Ｂが設置されるので、軸受１２Ｂ、ユニットケース４５Ｂ、回転体１４Ｂ，１５、スパイラルロッド１６およびスライダー１７は、上框３１およびスライドベース１１Ｂの間に配置され、これら各構成に塵埃が積もりにくくなっている。
軸受１２Ｂには、スライドベース１１Ｂの端部に螺合するビス１２１が挿通される長孔１２２が形成されている。長孔１２２は軸受１２ＢをＹ軸方向に貫通していると共に軸方向Ａに延びている。このように構成された軸受１２Ｂは、ビス１２１を緩めた状態で軸方向Ａにおける位置を調整可能であり、軸方向Ａにおいて軸受１２Ｂをユニットケース４５Ｂから引き離す方向に位置調整することで、軸受１２Ｂ、回転体１４Ｂ，１５およびユニットケース４５Ｂ間の軸方向Ａにおけるガタつきをなくすことができ、開き角度保持装置１０Ｂによる保持角度の精度を向上できる。
ユニットケース４５Ｂは、スライドベース１１Ｂの端部に取り付けられた状態で回転体１４Ｂおよび係合体４１Ｂの係合歯１４５，４１５を覆っており、回転体１４Ｂおよび係合体４１Ｂの係合部分における防塵性を向上させている。ユニットケース４５Ｂは、回転停止ユニット４０Ｂをガイドするユニットケース４５Ａと組み合わされて一つのケースを構成している。また、ユニットケース４５Ａ，４５Ｂは、係合体４１Ｂを軸方向Ａに移動可能であって回転方向Ｒに回転不能にガイドするガイド部４５３を構成する。なお、第３変形例ではユニットケース４５Ａ，４５Ｂは別部材で構成されているが一体であってもよい。
【００１７】
回転体１４Ｂおよび係合体４１Ｂには、図１１および図１２に示すように、互いに軸方向Ａに突出した係合部としての係合歯１４５，４１５がそれぞれ形成されている。
係合歯１４５は、回転体１４Ｂの円周方向に沿って複数設けられており、その先端面１４６は軸方向Ａに直交する面に沿った平坦面とされている。また、係合歯１４５の円周方向における左右両縁に位置する両側面は、軸方向Ａに対して傾斜した斜面１４７，１４８によって形成されている。複数の係合歯１４５の間には軸方向Ａに直交する面に沿った底面１４９が位置している。斜面１４７では、軸方向Ａにおける係合体４１Ｂ側の端部が先端面１４６に連続していると共に、軸方向Ａにおけるスパイラルロッド１６側の端部が底面１４９に連続している。斜面１４８では、軸方向Ａにおける係合体４１Ｂ側の端部が先端面１４６に連続していると共に、軸方向Ａにおけるスパイラルロッド１６側の端部が底面１４９に連続している。斜面１４７，１４８は、先端面１４６に連続した端部同士が底面１４９に連続した端部同士よりも円周方向に接近して位置するように軸方向Ａに対して１０〜１７度ほど斜めに傾斜しており、係合歯１４５は斜面１４７，１４８によって先すぼまりの山形形状（第３変形例では台形状）とされている。
係合歯４１５は、係合体４１Ｂの円周方向に沿って複数設けられており、その先端面４１６は軸方向Ａに直交する面に沿った平坦面とされている。また、係合歯４１５の円周方向における左右両縁に位置する両側面は、軸方向Ａに対して傾斜した斜面４１７，４１８によって形成されている。複数の係合歯４１５の間には軸方向Ａに直交する面に沿った底面４１９が位置している。斜面４１７では、軸方向Ａにおける回転体１４Ｂ側の端部が先端面４１６に連続していると共に、軸方向Ａにおけるバネ受体４３側の端部が底面４１９に連続している。斜面４１８では、軸方向Ａにおける回転体１４Ｂ側の端部が先端面４１６に連続していると共に、軸方向Ａにおけるバネ受体４３側の端部が底面４１９に連続している。斜面４１７，４１８は、先端面４１６に連続した端部同士が底面４１９に連続した端部同士よりも円周方向に接近して位置するように軸方向Ａに対して１０〜１７度ほど斜めに傾斜しており、係合歯４１５は斜面４１７，４１８によって先すぼまりの山形形状（第３変形例では台形状）とされている。
係合体４１Ｂの係合歯４１５の位置は、スライダー１７が平板部１６２に配置された状態における回転体１４Ｂの係合歯１４５の先端面１４６に対して先端面４１６が向かい合う位置に設定されている（図１２（Ａ）参照）。
【００１８】
以上の開き角度保持装置１０Ｂでは、外開き窓１の閉鎖状態において操作ハンドル６１が第二位置６１２にある場合には、図１２（Ａ）に示すように、係合体４１Ｂはバネ部材４２によって付勢され、先端面４１６が回転体１４Ｂの先端面１４６に当接した状態となっている。
操作ハンドル６１を第二位置６１２から第一位置６１１へ操作して障子３の窓枠２への掛け止めを解除すると、バネ受体４３は軸方向Ａにおいて係合体４１Ｂから離間する方向に移動し、係合体４１Ｂは連結軸４４と共に回転体１４Ｂから離間する方向に移動する。次に、障子３が窓枠２に対して開放移動され、障子３を所望の開き角度で保持する場合には、操作ハンドル６１を第一位置６１１から第二位置６１２へ操作し、バネ受体４３を回転体１４Ｂに向かって軸方向Ａに移動させながらバネ部材４２によって係合体４１Ｂを付勢し、図１２（Ｂ）に示すように係合体４１Ｂの係合歯４１５を回転体１４Ｂの係合歯１４５に係合させる。このとき、係合歯４１５の斜面４１７，４１８は係合歯１４５の斜面１４７，１４８に当接する。この係合状態では、風等によって障子３に開閉移動力が加えられ、スパイラルロッド１６および回転体１４Ｂに回転方向Ｒの回転力として伝達されても、回転体１４Ｂが係合体４１Ｂに係合しているので回転方向Ｒへの回転を生じない。従って、障子３の窓枠２に対する開き角度が所望の角度に保持される。
【００１９】
ここで、操作等によって障子３に過度に大きな開閉力が加えられ、図１２（Ｃ）に示すように、回転体１４Ｂに伝達される回転力によって係合体４１Ｂが軸方向Ａにおいて回転体１４Ｂから離間する方向へ押し戻されると、係合歯１４５，４１５同士の係合が解除され、回転体１４Ｂの回転を許容する。このように障子３に過度に大きな開閉力が加えられても、開き角度保持装置１０Ｂに過度に大きな力が加わることがない。なお、障子３に過度に大きな開閉力が加えられなくなると、係合体４１Ｂはバネ部材４２に付勢されながら回転体１４Ｂと再び係合し、障子３の開き角度を再び保持する。
【００２０】
前記実施形態では、外開き可能な外開き窓１を建具として説明したが、枠体と、枠体に対して室内側または室外側に開閉可能な戸体とを備える開き系の建具であればよく、例えば、内開き窓、回転窓、縦すべり出し窓、内倒し窓、突き出し窓や、各種開き系の戸、ドアであってもよい。
【００２１】
［本発明のまとめ］
本発明の開き角度保持装置は、枠体に対して戸体の開き角度を保持する開き角度保持装置であって、前記枠体および前記戸体のうちの一方に取付可能なスパイラルロッドと、前記スパイラルロッドに対してその軸方向に沿って移動可能に係合されたスライダーと、一端側で前記スライダーに取り付けられていると共に他端側で前記枠体および前記戸体のうちの他方に取付可能なリンクアームと、前記スパイラルロッドに固定された回転体と、前記回転体に係合する係合体と、を備えており、前記スライダーの移動に伴って前記スパイラルロッドが回転可能に構成されており、前記係合体は、前記回転体と係合する係合位置と、前記回転体と係合しない非係合位置とに移動可能に構成されていることを特徴とする。
本発明の開き角度保持装置によれば、外開き窓、開き窓などの建具の枠体および戸体のうちの一方にスパイラルロッドが取り付けられ且つ他方にリンクアームが取り付けられた場合、戸体の室内外への開閉移動によってリンクアームからスライダーに移動力が伝達され、このスライダーがスパイラルロッドの軸方向に移動することで、スパイラルロッドおよびこれに固定された回転体が回転する。そして、戸体が枠体に対して所望の開き角度となった状態で、係合体を非係合位置から係合位置まで移動させて回転体と係合し、この回転体およびスパイラルロッドの回転を停止することができる。スパイラルロッドの回転停止状態では、戸体に開閉移動力が加わっても、スライダーがスパイラルロッドの軸方向に移動することができないので、戸体の開き角度を保持することができる。このように、係合体を移動させることで戸体の開き角度を所望の開き角度に保持することができる。
【００２２】
本発明の開き角度保持装置では、前記回転体および前記係合体は、前記スパイラルロッドの軸線上に配置されており、前記回転体および前記係合体には、互いに係合可能に前記スパイラルロッドの軸方向に突出した係合部がそれぞれ形成されていることが好ましい。
このような構成によれば、回転体および係合体がスパイラルロッドの軸線上に沿ってそれぞれ配置されるので、例えば係合体が回転体の周面に係合するようにスパイラルロッドの軸線上から外れて配置される場合と比べて、スパイラルロッドの軸線に交差する方向における納まり寸法を小さくすることができる。このため、見込み寸法や見付け寸法が小さい枠体や戸体にも容易に設置することができる。
【００２３】
本発明の開き角度保持装置では、前記スパイラルロッドには、前記軸方向に沿った平板部が形成されており、前記スライダーが前記平板部に配置された状態における前記スパイラルロッドの回転位置では、前記回転体の係合部は前記係合体の係合部に向かい合って位置することが好ましい。
このような構成によれば、スライダーが平板部に配置された状態では、スライダーが平板部に沿って軸方向に移動してもスパイラルロッドに回転は生じず、回転体および係合体の係合部同士が向かい合った状態が維持される。この状態で係合体が非係合位置から係合位置に向かって移動されても、係合体および回転体の係合部の先端面同士が当たって係合部同士は係合せず、戸体の開き角度が保持されることがない。このように、スパイラルロッドに平板部を形成することで、戸体の開き角度を保持しない角度領域を設けることができる。この角度領域は、スパイラルロッドの軸方向における平板部の位置や長さ寸法によって調整可能である。例えば、戸体が閉鎖位置から微小開き位置にある状態でスライダーが平板部に配置される構成とした場合、戸体が閉鎖位置から微小開き位置にある間は戸体の開き角度が保持されることがない。このため、係合体が回転体に係合した状態、すなわち微小開き位置で戸体の開き角度が保持された状態のまま、戸体が枠体に対する多少のガタなどによって閉鎖してしまうことをなくし得る。
【００２４】
本発明の開き角度保持装置では、前記係合体を、前記軸方向において前記回転体側に付勢する弾性部材を更に備えていることが好ましい。
このような構成によれば、移動により係合体の係合部が回転体の係合部に押し当てられても、弾性部材が縮むことで係合体および回転体に大きな負荷がかかることを抑制することができる。
また、係合体および回転体の係合部同士が当たって係合体が係合位置まで移動できない状態であっても、弾性部材が縮むことで、係合体を移動操作する操作ハンドルなどを係合位置に対応した位置まで操作することができる。
【００２５】
本発明の開き角度保持装置では、前記回転体および前記係合体のうちの少なくとも一方の係合部は山形形状に形成されていることが好ましい。
このような構成によれば、係合体および回転体の係合状態で戸体に所定以上の大きな開閉力が加えられた場合、係合体および回転体のうちの少なくとも一方の山形形状の係合部の斜面に沿って他方の係合部が滑りながら係合部同士が離間移動するので、戸体は前記大きな開閉力によって開閉移動することができる。これにより、戸体と開き角度保持装置に大きな負荷がかかることを抑制することができる。
【００２６】
本発明の開き角度保持装置では、前記係合部の先端面に連続する両側面は、前記軸方向に対して前記先端面側で互いに接近する向きに傾斜した斜面によって形成されていることが好ましい。
このような構成によれば、係合体および回転体の係合状態で戸体に所定以上の大きな開閉力が加えられた場合、係合部の斜面同士が滑りながら係合体が回転体から離間移動することで前記係合が解除され、戸体の開閉移動を許容する。これにより、戸体と開き角度保持装置に大きな負荷がかかることを抑制することができる。
【００２７】
本発明の開き角度保持装置では、前記スパイラルロッドに対して上方には前記軸方向に沿って前記スライダーを移動可能に支持するスライドベースが配置されており、前記スライドベースはその両端部で前記枠体および前記戸体のうちの一方に取り付けられていることが好ましい。
このような構成によれば、スライドベースをスパイラルロッドに対して上方に配置することで、スパイラルロッドやスライダーなどに塵埃が積もることを抑制できる。また、前述したように開き角度保持装置に大きな負荷がかかることを抑制可能であるので、スライドベースの両端部を枠体および戸体のうちの一方に取り付けるだけでも十分な取付強度となり、取付けの手間を軽減できる。
【００２８】
本発明の開き角度保持装置では、前記スパイラルロッドの一端には前記回転体が固定されており、前記スパイラルロッドの他端には他の回転体が固定されており、前記他の回転体は、前記枠体および前記戸体のうちの一方に対して前記軸方向に位置調整可能に取り付けられた軸受に支持されていることが好ましい。
このような構成によれば、軸受を軸方向に位置調整することで、スパイラルロッドおよび各回転体などのガタつきをなくすことができ、開き保持装置による保持角度の精度を向上できる。
【００２９】
本発明の建具は、枠体に対して開閉可能な戸体と、前記枠体および前記戸体に装着された前述した本発明の開き角度保持装置と、前記係合体を移動操作する操作装置とを備えていることを特徴とする。
本発明の建具によれば、前述した本発明の開き角度保持装置と同様の作用効果を発揮可能な建具を構成することができる。
【符号の説明】
【００３０】
１…外開き窓（建具）、１０，１０Ｂ…開き角度保持装置、１４，１４Ｂ，１５…回転体、１４１，１４５，４１１，４１５，９０…係合歯（係合部）、１６…スパイラルロッド、１６１…軸線、１６２…平板部、１７…スライダー、１８…軸ピン、１８１…樹脂ワッシャー、１９…リンクアーム、２…窓枠（枠体）、３…障子（戸体）、４０，４０Ｂ…回転停止ユニット、４１，４１Ｂ…係合体、４２…バネ部材（弾性部材）、５０…ラッチ装置、６０…操作装置、６１…操作ハンドル、６１１…第一位置、６１２…第二位置、６５…連動機構、７０…サムターン、９１，９２…斜面、Ａ…軸方向、Ｒ…回転方向。
【図１】
2019078161.tif 000003
【図２】
2019078161.tif 000004
【図３】
2019078161.tif 000005
【図４】
2019078161.tif 000006
【図５】
2019078161.tif 000007
【図６】
2019078161.tif 000008
【図７】
2019078161.tif 000009
【図８】
2019078161.tif 000010
【図９】
2019078161.tif 000011
【図１０】
2019078161.tif 000012
【図１１】
2019078161.tif 000013
【図１２】
2019078161.tif 000014